【手続補正書】
【提出日】平成20年10月1日(2008.10.1)
【手続補正１】
【補正対象書類名】特許請求の範囲
【補正対象項目名】全文
【補正方法】変更
【補正の内容】
【特許請求の範囲】
【請求項１】
第一及び第二の表面を有する有機ポリマー基板の表面に、大気圧グロー放電蒸着によって複層被膜を調製する方法であって、
次の段階；
第一の段階において、プラズマ重合され、光学的に透明な、有機ケイ素化合物の層（第一の層）を、ケイ素含有試薬と所望により酸化剤とを含むガス状混合物を大気圧グロー放電蒸着させることにより前記有機ポリマー基板の表面に蒸着させる段階；その後
第二の段階において、ポリマーシロキサン又は酸化ケイ素化合物の実質的に均一な層（第二の層）を、酸化剤とケイ素含有試薬とを含むガス状混合物を大気圧グロー放電蒸着させることにより前記第一の層の露出面に蒸着させる段階：
を含み、
前記複層被膜が、少なくとも２．０μｍの厚さを有し、そしてＡＳＴＭ  Ｄ１０４４、ＣＳ１０Ｆホイール、５００ｇ加重に従って測定した５００回のテーバサイクルの後に、ヘイズの差分が２０単位以下の変化を示す耐摩耗性を有する、
前記方法。
【請求項２】
第一及び第二の表面を有する有機ポリマー基板の表面に、大気圧グロー放電蒸着によって複層被膜を調製する方法であって、
次の段階；
１）プラズマ重合され、付着性が高い有機ケイ素化合物の層（第一の層）を、ケイ素含有試薬と所望により酸化剤とを含むガス状混合物を大気圧グロー放電蒸着させることにより前記有機ポリマー基板の表面に蒸着させる段階、そしてその後；
２）ポリマーシロキサン又は酸化ケイ素化合物の均一な層（第二の層）を、酸化剤とケイ素含有試薬とを含むガス状混合物を大気圧グロー放電蒸着させることにより前記第一の層の露出面に蒸着させる段階、そしてその後：
段階１）及び２）を少なくともさらに一回繰り返してモノリシックな、複層の耐摩耗性被膜を調製する段階：
を含む方法。
【請求項３】
第一及び第二の表面を有する有機ポリマー基板の表面に、大気圧グロー放電蒸着によって複層被膜を調製する方法であって、
次の段階；
１）プラズマ重合され、付着性が高い、化学式ＳｉＮwＣxＯyＨzの有機ケイ素化合物の層（第一の層）を、ケイ素含有試薬と所望により酸化剤とを含むガス状混合物を大気圧グロー放電蒸着させることにより前記有機ポリマー基板の表面に蒸着させる段階；そしてその後
２）化学式ＳｉＮw’Ｃx’Ｏy’Ｈz’のポリマーシロキサン又は酸化ケイ素化合物の均一な層（第二の層）を、酸化剤とケイ素含有試薬とを含むガス状混合物を大気圧プラズマ蒸着させることにより前記第一の層の露出面に蒸着させる段階：
を含み、ここで：
ｗは０〜１．０の数であり、
ｘは０．１〜３．０の数であり、
ｙは０．５〜５．０の数であり、
ｚは０．１〜５．０の数であり、
ｗ’は０〜１．０の数であり、
ｘ’は０〜１．０の数であり、
ｙ’は１．０〜５．０の数であり、
ｚ’は０．１〜１０．０の数であり、
前記複層被膜が、少なくとも２．０μｍの厚さと、前記基板への改良された付着と、ＡＳＴＭ  Ｄ１０４４、ＣＳ１０Ｆホイール、５００ｇ加重に従って測定した５００回のテーバサイクル後に、ヘイズの差分が２０単位以下の変化を示す耐摩耗性とを有する、
前記方法。
【請求項４】
段階１）及び２）が少なくともさらに一回繰り返されて、可撓性、耐久性及び表面の平坦性及び均一性が改良された複層の耐摩耗性被膜が調製される、請求項３に記載の方法。
【請求項５】
第一及び第二の表面を有する有機ポリマー基板の表面に、大気圧グロー放電蒸着によって複層被膜を調製する方法であって、
当該方法の段階は、プラズマ重合され、光学的に透明な、付着性が高い有機ケイ素化合物の層を、ケイ素含有試薬と所望により酸化剤とを含むガス状混合物を大気圧グロー放電蒸着させることにより、前記有機ポリマー基板の表面に蒸着させる段階を含み、
ここで、前記蒸着の条件は、蒸着された有機ケイ素化合物の層が、少なくとも２．０μｍの平均厚さを有するような条件である。
【請求項６】
前記有機ケイ素化合物の層が、少なくとも１０ｃｍ／分の線形蒸着速度で前記有機ポリマー基板の表面に蒸着される、請求項５に記載の方法。
【請求項７】
前記第二の層は、有機質部分が実質的にない、請求項１〜４のいずれか一項に記載の方法。
【請求項８】
第一及び第二の表面を有する有機ポリマー基板を含む複合構造体であって、
前記第一及び／又は第二の表面は、一層又は二層以上の蒸着された有機ケイ素化合物の層と、一層又は二層以上のポリマーシロキサン又は酸化ケイ素化合物の層とを有し、
前記蒸着された有機ケイ素及びポリマーシロキサン又は酸化ケイ素の層は、全体の厚さが２μｍを超える、
前記複合構造体。
【請求項９】
前記ポリマー基板が、フィルム及び／又はシート状の、一層又は二層以上のポリカーボネート層である、請求項８に記載の複合構造体。
【請求項１０】
前記ポリマー基板が、フィルム及び／又はシート状の、一層又は二層以上のポリ（メタ）アクリレート層である、請求項８に記載の複合構造体。
【請求項１１】
前記ポリマー基板が、フィルム及び／又はシート状の、一層又は二層以上のポリカーボネート層と、一層又は二層以上のポリ（メタ）アクリレート層とを含む積層物であり、そして前記蒸着された有機ケイ素及びポリマーシロキサン又は酸化ケイ素の層が、前記ポリ（メタ）アクリレート層に付着している、請求項８に記載の複合構造体。
【請求項１２】
一層又は二層以上の前記ポリ（メタ）アクリレートポリマー層が、架橋されたポリ（メタ）アクリレートポリマーを含む、請求項１０又は１１に記載の複合構造体。
【請求項１３】
一層又は二層以上の前記ポリカーボネート層及び／又は一層若しくは二層以上のポリ（メタ）アクリレート層が、一種又は二種以上のＵＶ吸収化合物をさらに含む、請求項９，１０、１１又は１２に記載の複合構造体。
【請求項１４】
請求項１１又は１２に記載の複合構造体を含むシート、積層物、押出構造体、又はアセンブリの形態のグレージング材料。
【請求項１５】
請求項１３に記載の複合構造体を含むシート、積層物、押出構造体、又はアセンブリの形態のグレージング材料。
【請求項１６】
請求項１４に記載のグレージング材料を含む自動車又は建物。
【請求項１７】
請求項１５に記載のグレージング材料を含む自動車又は建物。
【請求項１８】
前記グレージング材料が、ポリマーシロキサン又は酸化ケイ素被膜の露出面を前記建物又は自動車の外部に向けて配置されている、請求項１６に記載の自動車又は建物。
【請求項１９】
前記グレージング材料が、ポリマーシロキサン又は酸化ケイ素被膜の露出面を前記建物又は自動車の外部に向けて配置されている、請求項１７に記載の自動車又は建物。
【請求項２０】
前記ＵＶ吸収化合物が、一層若しくは二層以上の前記ポリカーボネート層及び／又は一層若しくは二層以上の前記ポリ（メタ）アクリレート層にグラフトされるか、共重合されるか、又は結合されている、請求項１３に記載の複合構造体。
【請求項２１】
前記被膜が、前記有機ポリマー基板の前記第一及び第二の表面に適用される、請求項１〜７のいずれか一項に記載の方法。
【請求項２２】
前記有機ポリマー基板の前記第一及び第二の表面が、独立して、一層又は二層以上の蒸着された有機ケイ素化合物の層を有し、そして独立して、一層若しくは二層以上のポリマーシロキサン又は酸化ケイ素化合物の層を有し、
前記蒸着された有機ケイ素と、ポリマーシロキサン又は酸化ケイ素との層が、全体の厚さが２μｍを超える、
請求項８に記載の複合構造体。
【請求項２３】
前記ポリ（メタ）アクリレートが、少なくとも二つの相が存在するような、第一の（メタ）アクリレートと第二の（メタ）アクリレートとのブレンド及び／若しくはコポリマー並びに／又は相互侵入網目であり、一方の相は連続相であり、そして他方の相は分散相であり、そして前記連続相が、前記分散相よりも高いＴｇを有する、請求項１０に記載の複合構造体。
【請求項２４】
前記連続相が、メチルメタクリレートに富み、そして前記分散相がｎ−ブチルアクリレートに富む、請求項２３に記載の複合構造体。